(57)【要約】【課題】ラベル材料を節約した簡易なラベル構造を備えるリアー印字ラベルであるとともに、ラベル裏面側の各種情報を貼着剤層や粘着剤層面に直接印字せずに容易に形成できるように工夫することによりインクジェット方式や静電トナー方式などの無圧印刷方式をはじめとして印圧を必要とする各種印字方式によってもラベル裏面の接着剤層面が擦れたり引き掻かれたり引き剥がれたり印字面が汚損したり消失したりする製造時の問題点を解消したラベルを提供する。【解決手段】不透明ラベル基材１の裏面に印字された正向き像の印字部２と、該基材１の裏面に前記印字部２を隠蔽するように被覆された透明乃至半透明の接着剤層３と、該基材１の表面に印刷された正向き像のラベル印刷層５とからなる。【選択図】図１
2005157192.tif 000002
【特許請求の範囲】
【請求項１】
不透明ラベル基材１の裏面に印字された正向き像の印字部２と、該基材１の裏面に前記印字部２を隠蔽するように被覆された透明乃至半透明の接着剤層３と、該基材１の表面に印刷された正向き像のラベル印刷層５とからなることを特徴とするリアー印字ラベル。
【請求項２】
前記不透明ラベル基材１は、透明ラベル基材１ａの表面若しくは裏面に隠蔽層１ｂを積層形成した基材であることを特徴とする請求項１記載のリアー印字ラベル。
【請求項３】
透明ラベル基材１の裏面に印刷された逆向き像のラベル印刷層５と、該基材１の裏面に前記ラベル印刷層５を隠蔽するように被覆された隠蔽層１ｂ、該隠蔽層１ｂ上に印字された正向き像の印字部２と、該印字部２を被覆するように塗布された透明乃至半透明の接着剤層３とからなることを特徴とするリアー印字ラベル。
【請求項４】
透明ラベル基材１の表面に印刷された逆向き像の印字部２と、該基材１の表面に前記印字部２を隠蔽するように被覆された隠蔽層１ｂと、該隠蔽層１ｂ上に印刷された正向きのラベル印刷層５と、前記基材１の裏面に塗布された透明乃至半透明の接着剤層３とからなることを特徴とするリアー印字ラベル。
【請求項５】
前記接着剤層３が感圧接着性の粘着剤層であり、該粘着剤層３面に仮貼着された剥離シート４を備えることを特徴とする請求項１乃至４のいずれか１項記載のリアー印字ラベル。
【請求項６】
前記接着剤層３が感熱接着性の接着剤層であることを特徴とする請求項１乃至４のいずれか１項記載のリアー印字ラベル。
【請求項７】
前記接着剤層３が再湿接着性の接着剤層であることを特徴とする請求項１乃至４のいずれか１項記載のリアー印字ラベル。
【発明の詳細な説明】
【技術分野】
【０００１】
本発明は、飲料、食品、調味料など各種商品のラベルに用いられ、特に商品販売の各種キャンペーンや販売促進活動などに使用されるリアー印字ラベルに関する。
【背景技術】
【０００２】
ペットボトル飲料、ガラス瓶飲料をはじめとする各種の食品関連商品や、シャンプー、リンスなどのトイレタリー関連商品の各種販売キャンペーンや販売促進活動などには、従来よりリアー印字ラベルが使用されるようになっている。
【０００３】
このリアー印字ラベルは、そのラベル表面には商品に関する情報がラベル情報として印刷表示され、裏面には商品販売の各種キャンペーンや販売促進活動などに関する各種情報が印刷表示されており、裏面に設けた接着剤（貼着剤、粘着剤）層を介して、被着体である商品本体や商品ケース等の包装容器本体に貼着して使用されるものである。
【０００４】
このようなリアー印字ラベルとしては、ラベルの表面と共に、ラベル貼着剤面にも印刷を施し、透明な被着体に貼着することで、透明な被着体を介してラベル裏面の印刷内容を確認することができる
また、リアー印字ラベルとしては、不透明な被着体に貼着されている段階では、ラベル裏面側に印字されている情報は目視確認できないが、被着体からラベルを剥がした際に、そのラベル裏面側に印字されている商品販売の各種キャンペーンや販売促進活動などに関する各種情報を目視にて読み取ることができるようになっているものもある。
【０００５】
しかしながら、リアー印字ラベルのラベル裏面側には、貼着剤層や粘着剤層とともに、各種情報を印字表示した印字層を形成する必要があり、特に感圧接着性を示す粘着剤層面に各種情報を直接印字する場合、インクジェット方式や静電トナー方式などの無圧印刷であっても、感光ドラムやトナー定着ローラーやインク乾燥ヒーターローラーなどとの接触も発生するため、インクやトナーによっては印刷、印字の仕上がりが不十分であったり、粘着剤面が擦れたり、引き掻かれたり、引き剥がれたりして、印字が汚損したり、消失したりする問題がある。
【特許文献１】特開２００１−３４１７０号公報
【発明の開示】
【発明が解決しようとする課題】
【０００６】
本発明は、ラベルの裏面側に、接着剤層（貼着剤層や粘着剤層）とともに各種情報を印字表示した印字層を形成したリアー印字ラベルであって、ラベル材料を節約した簡易なラベル構造を備えるとともに、ラベル裏面側の各種情報を貼着剤層や粘着剤層面に直接印字せずに容易に形成できるように工夫することにより、インクジェット方式や静電トナー方式などの無圧印刷方式をはじめとして、印圧を必要とする各種印字方式によっても、ラベル裏面の接着剤層面が擦れたり引き掻かれたり引き剥がれたり、印字面が汚損したり消失したりする製造時の問題点を解消したラベルを提供することにある。
【課題を解決するための手段】
【０００７】
本発明の請求項１に係る発明は、不透明ラベル基材１の裏面に印字された正向き像の印字部２と、該基材１の裏面に前記印字部２を隠蔽するように被覆された透明乃至半透明の接着剤層３と、該基材１の表面に印刷された正向き像のラベル印刷層５とからなることを特徴とするリアー印字ラベルである。
【０００８】
本発明の請求項２に係る発明は、上記請求項１に係るリアー印字ラベルにおいて、前記不透明ラベル基材１は、透明ラベル基材１ａの表面若しくは裏面に隠蔽層１ｂを積層形成した基材であることを特徴とするリアー印字ラベルである。
【０００９】
本発明の請求項３に係る発明は、透明ラベル基材１の裏面に印刷された逆向き像のラベル印刷層５と、該基材１の裏面に前記ラベル印刷層５を隠蔽するように被覆された隠蔽層１ｂと、該隠蔽層１ｂ上に印字された正向き像の印字部２と、該印字部２を被覆するように塗布された透明乃至半透明の接着剤層３とからなることを特徴とするリアー印字ラベルである。
【００１０】
本発明の請求項４に係る発明は、透明ラベル基材１の表面に印刷された逆向き像の印字部２と、該基材１の表面に前記印字部２を隠蔽するように被覆された隠蔽層１ｂと、該隠蔽層１ｂ上に印刷された正向きのラベル印刷層５と、前記基材１の裏面に塗布された透明乃至半透明の接着剤層３とからなることを特徴とするリアー印字ラベルである。
【００１１】
本発明の請求項５に係る発明は、上記請求項１乃至４のいずれか１項に係るリアー印字ラベルにおいて、前記接着剤層３が感圧接着性の接着剤層であり、該接着剤層３面に仮貼着された剥離シート４を備えることを特徴とするリアー印字ラベルである。
【００１２】
本発明の請求項６に係る発明は、上記請求項１乃至４のいずれか１項に係るリアー印字ラベルにおいて、前記接着剤層３が感熱接着性の接着剤層であることを特徴とするリアー印字ラベルである。
【００１３】
本発明の請求項７に係る発明は、上記請求項１乃至４のいずれか１項に係るリアー印字ラベルにおいて、前記接着剤層３が再湿接着性の接着剤層であることを特徴とするリアー印字ラベルである。
【発明の効果】
【００１４】
本発明は、ラベルの裏面側に、接着剤層（貼着剤層や粘着剤層）とともに各種情報を印字表示した印字層を形成したリアー印字ラベルであって、上記請求項１又は請求項２に係る発明のリアー印字ラベルは、図１、図２に示すように、不透明ラベル基材１の裏面に、隠蔽（ラベル裏面側からのみ目視可能）を必要とする各種情報（商品販売の各種キャンペーンや販売促進活動などに関する顧客向けサービス情報など）として正向き像の印字部２が印字され、その印字部２を隠蔽するように透明乃至半透明の粘着剤層３が被覆され、該基材１の表面には、隠蔽（ラベル裏面側からのみ目視可能）を必要としない各種情報（商品銘柄、製造販売者名、成分表など公開すべき情報）として正向き像のラベル印刷層５が印刷されているので、単一枚のラベル基材１によるラベル材料を節約した簡易なラベル構造を備えるとともに、隠蔽（ラベル裏面側からのみ目視可能）を必要とする各種情報を、直接ラベル基材１の裏面に印字部２を印字して形成でき、貼着剤層や粘着剤層面に印字せずに容易に形成できる。
【００１５】
そのために、インクジェット方式や静電トナー方式などの無圧印刷方式をはじめとして印圧を必要とする各種印字方式によってラベル裏面に印字部２を印字形成する際に、ラベル裏面の接着剤層面が擦れたり引き掻かれたり引き剥がれたり、印字面が汚損したり消失したりする製造時の問題点を解消することができる。
【００１６】
上記請求項３に係る発明のリアー印字ラベルは、図３に示すように、透明ラベル基材１の裏面に、隠蔽（ラベル裏面側からのみ目視可能）を必要としない各種情報（商品銘柄、製造販売者名、成分表など公開すべき情報）として逆向き像のラベル印刷層５が印刷され
、そのラベル印刷層５を隠蔽するように隠蔽層１ｂが被覆され、該隠蔽層１ｂ上には、隠蔽（ラベル裏面側からのみ目視可能）を必要とする各種情報（商品販売の各種キャンペーンや販売促進活動などに関する顧客向けサービス情報など）として正向き像の印字部２が印字され、該印字部２を被覆するように透明乃至半透明の粘着剤層３が塗布されているので、単一枚のラベル基材１によるラベル材料を節約した簡易なラベル構造を備えるとともに、隠蔽（ラベル裏面側からのみ目視可能）を必要とする各種情報を、直接ラベル基材１の裏面に形成した隠蔽層１ｂ上に、印字部２を印字して形成でき、貼着剤層や粘着剤層面に印字せずに容易に形成できる。
【００１７】
そのために、インクジェット方式や静電トナー方式などの無圧印刷方式をはじめとして印圧を必要とする各種印字方式によってラベル裏面に印字部２を印字形成する際に、ラベル裏面の接着剤層面が擦れたり引き掻かれたり引き剥がれたり、印字面が汚損したり消失したりする製造時の問題点を解消することができる。
【００１８】
上記請求項４に係る発明のリアー印字ラベルは、図４に示すように、透明ラベル基材１の表面に、隠蔽（ラベル裏面側からのみ目視可能）を必要とする各種情報（商品販売の各種キャンペーンや販売促進活動などに関する顧客向けサービス情報など）として逆向き像の印字部２が印字され、その印字部２を隠蔽するように隠蔽層１ｂが被覆され、該隠蔽層１ｂ上には、隠蔽（ラベル裏面側からのみ目視可能）を必要としない各種情報（商品銘柄、製造販売者名、成分表など公開すべき情報）として正向きのラベル印刷層５が印刷され、前記基材１の裏面には、透明乃至半透明の粘着剤層３が塗布されているので、単一枚のラベル基材１によるラベル材料を節約した簡易なラベル構造を備えるとともに、隠蔽（ラベル裏面側からのみ目視可能）を必要とする各種情報を、直接ラベル基材１の表面に印字部２を印字して形成でき、貼着剤層や粘着剤層面に印字せずに容易に形成できる。
【００１９】
そのために、インクジェット方式や静電トナー方式などの無圧印刷方式をはじめとして印圧を必要とする各種印字方式によってラベル裏面に印字部２を印字形成する際に、ラベル裏面の接着剤層面が擦れたり引き掻かれたり引き剥がれたり、印字面が汚損したり消失したりする製造時の問題点を解消することができる。
【発明を実施するための最良の形態】
【００２０】
本発明のリアー印字ラベルの実施の形態を、図１〜図４に基づいて以下に詳細に説明すれは、請求項１に係るリアー印字ラベルは、図１の側断面図に示すように、不透明ラベル基材１の裏面に印字された正向き像の印字部２を備え、該印字部２を隠蔽するように被覆された透明乃至半透明の接着剤層３を備えている。そして、該基材１の表面には印刷された正向き像のラベル印刷層５が設けられている。
【００２１】
上記接着剤層３としては、感圧接着性、又は感熱接着性、又は再湿接着性のそれぞれ接着剤が使用でき、例えば、感圧接着性の接着剤、すなわち粘着剤を使用した場合は、剥離シート４（粘着剤層３に対して易剥離性を示すシリコーン樹脂等の離型剤を紙基材若しくはフィルム基材の片面に塗布したシート、セパレータ）が易剥離可能に仮貼着される。
【００２２】
上記印字部２は、不透明なラベル基材１の裏面Ｌｒ側に対して正向き像として印字されており、ラベル基材１の裏面Ｌｒ側からのみ目視可能なように、隠蔽を必要とする各種情報（商品販売の各種キャンペーンや販売促進活動などに関する顧客向けサービス情報、応募情報、抽選情報など）が印字され、上記ラベル印刷層５は、不透明なラベル基材１の表面Ｌｆ側に対して正向き像として、隠蔽を必要としない各種情報（商品銘柄、製造販売者名、成分表、商品説明など公開すべき情報）が印刷されている。
【００２３】
図１に示すように、リアー印字ラベルのラベル表面Ｌｆ側からは、ラベル印刷層５は正
向き像として目視でき、印字部２は不透明なラベル基材１によって隠蔽されて目視が不可能であり、剥離シート４を剥離除去したラベル裏面Ｌｒ側からは、透明乃至半透明の接着剤層３を透して印字部２のみ正向き像として目視が可能である。
【００２４】
図２は、請求項２に係るリアー印字ラベルの側断面図であり、上記請求項１に係るリアー印字ラベルにおいて、前記不透明ラベル基材１を透明ラベル基材層１ａと隠蔽層１ｂとの二層構成としたものであり、不透明ラベル基材１として、例えば透明ラベル基材層１ａの表面若しくは裏面に隠蔽層１ｂを積層形成したものを用いたものであり、上記印字部２とラベル印刷層５は、請求項１に係るリアー印字ラベルと同様に目視され観察されるものである。
【００２５】
図３は、請求項３に係るリアー印字ラベルの側断面図であり、透明ラベル基材１の裏面に印刷された逆向き像のラベル印刷層５を備え、そのラベル印刷層５を隠蔽するように被覆された隠蔽層１ｂを備え、該隠蔽層１ｂ上には印字された正向き像の印字部２を備え、該印字部２を被覆するように塗布された透明乃至半透明の接着剤層３を備えている。なお、印字部２、ラベル印刷層５の内容は、上記同様であるので説明を省略する。
【００２６】
図３に示すように、リアー印字ラベルのラベル表面Ｌｆ側からは、ラベル印刷層５は透明ラベル基材１を透して正向き像として目視でき、印字部２は隠蔽層１ｂにより隠蔽されて目視が不可能であり、剥離シート４を剥離除去したラベル裏面Ｌｒ側からは、透明乃至半透明の接着剤層３を透して印字部２のみ正向き像として目視が可能である。
【００２７】
図４は、請求項４に係るリアー印字ラベルの側断面図であり、透明ラベル基材１の表面に印刷された逆向き像の印字部２を備え、該印字部２を隠蔽するように透明ラベル基材１の表面に被覆された隠蔽層１ｂを備え、該隠蔽層１ｂ上に印字された正向きのラベル印刷層５を備え、前記基材１の裏面には塗布された透明乃至半透明の接着剤層３を備えるものである。
【００２８】
図４に示すように、リアー印字ラベルのラベル表面Ｌｆ側からは、ラベル基材１表面の隠蔽層１ｂ上に形成されたラベル印刷層５は正向き像として目視でき、印字部２は隠蔽層１ｂにより隠蔽されて目視が不可能であり、剥離シート４を剥離除去したラベル裏面Ｌｒ側からは、透明なラベル基材１及び透明乃至半透明の接着剤層３を透して印字部２のみ正向き像として目視が可能である。
【００２９】
なお、上記請求項２、３、４に係るリアー印字ラベルにおいて、その接着剤層３は、感圧接着性、又は感熱接着性、又は再湿接着性のそれぞれ接着剤が使用でき、例えば、感圧接着性の接着剤、すなわち粘着剤を使用した場合は、剥離シート４（接着剤層３に対して易剥離性を示すシリコーン樹脂等の離型剤を紙基材、フィルム基材の片面に塗布したシート、セパレータ）が易剥離可能に仮貼着される。
【００３０】
また、上記請求項２、３、４に係るリアー印字ラベルにおいて、その印字部２は、不透明なラベル基材１の裏面Ｌｒ側に対して正向き像として印字されており、ラベル基材１の裏面Ｌｒ側からのみ目視可能なように、隠蔽を必要とする各種情報（商品販売の各種キャンペーンや販売促進活動などに関する顧客向けサービス情報、応募情報、抽選情報など）が印字され、また、ラベル印刷層５は、不透明なラベル基材１の表面Ｌｆ側に対して正向き像として、隠蔽を必要としない各種情報（商品銘柄、製造販売者名、成分表、商品説明など公開すべき情報）が印刷されている。
【００３１】
次に、本発明のリアー印字ラベルの製造方法を以下に説明すれば、図５は、請求項１又は請求項２に係るリアー印字ラベルの製造方法における工程の一例を説明する概要側面図
であり、まず、不透明フィルム（紙、又はポリエチレン、ポリプロピレン、ポリエチレンテレフタレート等の樹脂フィルム、アルミフォイル）によるラベル基材１を、基材巻出手段２１（４１は対向駆動回転するインフィードニップロール）から巻き出し送行しながら、オフセット印刷方式による第２印刷手段２４（版胴（図示せず）に周接して回転するブランケット胴２４ａ、圧胴２４ｂ）間に、又はグラビア印刷方式による第２印刷手段２４（版胴２４ａ、圧胴２４ｂ）間に導入して、該不透明ラベル基材１の表面に正向きのラベル印刷層５を印刷する。
【００３２】
また、不透明フィルムによるラベル基材１として、透明フィルム基材１ａに隠蔽層１ｂを積層形成したラベル基材を使用する場合は、まず、該透明フィルム基材１ａを基材巻出手段２１から巻き出し送行しながら、第１印刷手段２２（版胴２２ａ、圧胴２２ｂ）又はグラビア印刷方式による塗布手段２２（塗布ロール２２ａ、プレスロール２２ｂ）間に導入して、該透明フィルム基材１ａの表面に隠蔽層１ｂを塗布形成して不透明ラベル基材１を形成した後に、オフセット印刷又はグラビア印刷方式による第２印刷手段２４（版胴２４ａ、圧胴２４ｂ）間に導入して、該不透明ラベル基材１の隠蔽層１ｂの表面に正向きのラベル印刷層５を印刷する。
【００３３】
第１、第２印刷手段２２、２４の印刷方式、塗布方式としては、オフセット印刷方式又はグラビア印刷方式の他に、活版印刷方式、スクリーン印刷方式、フレキソ印刷方式、ロール塗布方式等が採用でき、また、使用インキ、塗布液としては、水性インキ、油性インキ、また、インキ乾燥方式としては、紫外線（ＵＶ）硬化乾燥型インキ（ＵＶインキ）、電子線（ＥＢ）硬化乾燥型インキ（ＥＢインキ）、二液反応硬化型インキ、酸化乾燥型インキ、溶剤揮散型インキ等が使用できる。また、ラベル印刷層５を印刷する第２印刷手段には、１〜数ユニットの各色印刷ユニットを搭載した１乃至数色印刷が可能な印刷手段を使用することができる。なお、使用インキの具体例としては、例えば、オフセットインキ名；ＦＤＳ各色ＴＫ；東洋インキ製造（株）製、オフセットインキ名；ＵＶ１６１各色；（株）ティーアンドケイ東華製）などがある。
【００３４】
ラベル印刷層５の印刷に紫外線（ＵＶ）硬化乾燥型インキ（ＵＶインキ）、電子線（ＥＢ）硬化乾燥型インキ（ＥＢインキ）を使用する場合には、印刷、塗布後に、それぞれＵＶ照射手段又はＥＢ照射手段２３、２５に導入し、溶剤揮散型インキ等を使用する場合には、それぞれ加熱乾燥手段２３、２５に導入して、隠蔽層１ｂ、ラベル印刷層５を硬化乾燥させる。
【００３５】
続いて、第２印刷手段２４にてラベル印刷層５の印刷された不透明ラベル基材１を、印字手段２６に導入して、不透明ラベル基材１のラベル印刷層５と反対面（裏面）に、ラベル基材１表面からは隠蔽されて目視不能であって、基材１裏面からは目視可能なリアースルーの正向きの印字部２を印字形成する。
【００３６】
印字手段２６は、インキジェット方式、電子写真方式、熱転写方式等により印字するデジタル印字手段であり、印字手段２６に搭載する印字データ入出力制御ユニットの可変印字データ生成部にて生成された印字すべき情報（商品キャンペーン情報、販売促進情報、応募情報、抽選情報など）を、可変印字データとして出力制御部から任意に選択出力し、その可変印字データに基づいて文字、図形等の情報を、印字手段２６のガイドロールを介してラベル基材１の裏面に印字するものである。
【００３７】
続いて、印字手段２６にて印字部２の印字された不透明ラベル基材１を、グラビア塗布方式による粘着剤塗布手段２７（圧胴２７ｂ、版胴２７ａ、塗布液供給ロール２７ｃ）の圧胴２７ｂ、版胴２７ａ間に導入して、印字部２の印字された不透明ラベル基材１の面（裏面）に、該印字部２上より全面に粘着剤を塗布して粘着剤層３を積層形成する。
【００３８】
塗布手段２７の塗布方式としては、上記グラビア塗布方式の他にオフセット印刷方式、活版印刷方式、スクリーン印刷方式、フレキソ印刷方式、ロール塗布方式等が採用でき、また、使用する粘着剤としては、水性粘着剤、油性粘着剤、紫外線（ＵＶ）固定型粘着剤（ＵＶ粘着剤）、電子線（ＥＢ）固定型粘着剤（ＥＢ粘着剤）、二液反応固定型粘着剤、酸化固定型粘着剤、溶剤揮散型粘着剤等が使用できる。なお、使用粘着剤の具体例としては、例えば、粘着剤名；ＵＶＴＡＣ粘着剤；帝国インキ製造（株）製）などがある。
【００３９】
粘着剤層３として紫外線（ＵＶ）固定型粘着剤（ＵＶ粘着剤）又は電子線（ＥＢ）固定型粘着剤（ＥＢ粘着剤）を使用する場合には、塗布後に、ＵＶ照射手段又はＥＢ照射手段２８に導入し、溶剤揮散型粘着剤等を使用する場合には、加熱乾燥手段２８に導入して、粘着剤層３を不透明ラベル基材１上に固定させる。
【００４０】
続いて、塗布手段２７にて粘着剤層３の積層形成された不透明ラベル基材１と、剥離シート巻出手段２９（４２は対向駆動回転するインフィードニップロール）より巻き出し送行する剥離シート４（不透明ラベル基材１側の粘着剤層３に対して易剥離性を示すシリコーン樹脂等の離型剤を紙基材、若しくはポリエチレン、ポリプロピレン、ポリエチレンテレフタレート等の樹脂フィルム基材の片面に塗布したシート；セパレータ）とを、貼り合わせニップロール３０（対向するロール３０ａ、３０ｂ）間に導入して重ね合わせ、不透明ラベル基材１の粘着剤層３と、剥離シート４の離型剤層側とを仮貼着する。
【００４１】
続いて、剥離シート４の仮貼着された不透明ラベル基材１を送行しながら、ロータリー（回転）式又はレシプロ（上下反復動作）式のラベル型抜き手段３１に導入して、不透明ラベル基材１層と粘着剤層３とを、剥離シート４を残してラベル形状（閉曲線図形状）に型抜きすることにより、連続する剥離シート４面上には、仮貼着されてラベル形状に型抜きされたリアー印字ラベルが作成される。
【００４２】
続いて、型抜きされた不透明ラベル基材１及び粘着剤層３と剥離シート４とを剥離ロール３２に導入するとともに、ラベル形状に型抜きした前記ラベルシート外周の連続する余白（抜き滓）シートを滓取りロール３３にて巻き取りながら、ラベル巻取手段３４（４３は対向駆動回転するアウトフィードニップロール）にて、連続する剥離シート４をラベルシートを剥離シート４面に仮貼着した状態で一緒に巻き取ることにより、連続する剥離シート４面上には、図１又は図２に示す積層構成のリアー印字ラベルが得られる。
【００４３】
図６は、請求項３に係るリアー印字ラベルの製造方法における工程の一例を説明する概要側面図であり、まず、透明フィルム（ポリエチレン、ポリプロピレン、ポリエチレンテレフタレート等の樹脂フィルム、アルミフォイル）によるラベル基材１を、基材巻出手段２１（４１は対向駆動回転するインフィードニップロール）から巻き出し送行しながら、グラビア印刷方式による第１印刷手段２２（版胴２２ａ、圧胴２２ｂ）間に導入して、該透明ラベル基材１の裏面に、逆向きのラベル印刷層５を印刷する。
【００４４】
続いて、逆向きのラベル印刷層５の印刷された透明ラベル基材１を、グラビア印刷方式による第２印刷手段２４（版胴２４ａ、圧胴２４ｂ）間に導入し、該透明ラベル基材１の裏面に逆向きのラベル印刷層５を隠蔽するように隠蔽層１ｂを塗布して積層形成する。
【００４５】
第１、第２印刷手段２２、２４の印刷方式、塗布方式としては、オフセット印刷方式又はグラビア印刷方式の他に、活版印刷、スクリーン印刷、フレキソ印刷方式、ロール塗布方式等が採用でき、また、使用インキ、塗布液としては、水性インキ、油性インキ、また、インキ乾燥方式としては、紫外線（ＵＶ）硬化乾燥型インキ（ＵＶインキ）、電子線（ＥＢ）硬化乾燥型インキ（ＥＢインキ）、二液反応硬化型インキ、酸化乾燥型インキ、溶
剤揮散型インキ等が使用できる。また、ラベル印刷層５を印刷する第１印刷手段には、１〜数ユニットの各色印刷ユニットを搭載した１乃至数色印刷が可能な印刷手段を使用することができる。なお、使用インキの具体例としては、例えば、オフセットインキ名；ＦＤＳ各色ＴＫ；東洋インキ製造（株）製、オフセットインキ名；ＵＶ１６１各色；（株）ティーアンドケイ東華製）などがある。
【００４６】
ラベル印刷層５、隠蔽層１ｂの印刷・塗布に紫外線（ＵＶ）硬化乾燥型インキ（ＵＶインキ）、電子線（ＥＢ）硬化乾燥型インキ（ＥＢインキ）を使用する場合には、印刷、塗布後に、それぞれＵＶ照射手段又はＥＢ照射手段２３、２５に導入し、溶剤揮散型インキ等を使用する場合には、それぞれ加熱乾燥手段２３、２５に導入して、ラベル印刷層５、隠蔽層１ｂを硬化乾燥させる。
【００４７】
続いて、第２印刷手段２４にて隠蔽層１ｂが積層形成されて不透明となったラベル基材１を印字手段２６に導入して、該ラベル基材１の隠蔽層１ｂの面（裏面）に、ラベル基材１表面からは隠蔽されて目視不能であって、ラベル基材１裏面の隠蔽層１ｂ側からは目視可能なリアースルーの正向きの印字部２を印字形成する。
【００４８】
印字手段２６は、インキジェット方式、電子写真方式、熱転写方式等により印字するデジタル印字手段であり、印字手段２６に搭載する印字データ入出力制御ユニットの可変印字データ生成部にて生成された印字すべき情報（商品キャンペーン情報、販売促進情報、応募情報、抽選情報など）を、可変印字データとして出力制御部から任意に選択出力し、その可変印字データに基づいて文字、図形等の情報を、印字手段２６のガイドロールを介してラベル基材１の裏面に印字するものである。
【００４９】
続いて、印字手段２６にて印字部２の印字されたラベル基材１を、グラビア塗布方式による粘着剤塗布手段２７（圧胴２７ｂ、版胴２７ａ、塗布液供給ロール２７ｃ）の圧胴２７ｂ、版胴２７ａ間に導入して、印字部２の印字されたラベル基材１の面（裏面）に、該印字部２上より全面に粘着剤を塗布して粘着剤層３を積層形成する。
【００５０】
塗布手段２７の塗布方式としては、上記グラビア塗布方式の他にオフセット印刷方式、活版印刷方式、スクリーン印刷方式、フレキソ印刷方式、ロール塗布方式等が採用でき、また、使用する粘着剤としては、水性粘着剤、油性粘着剤、紫外線（ＵＶ）固定型粘着剤（ＵＶ粘着剤）、電子線（ＥＢ）固定型粘着剤（ＥＢ粘着剤）、二液反応固定型粘着剤、酸化固定型粘着剤、溶剤揮散型粘着剤等が使用できる。なお、使用粘着剤の具体例としては、例えば、粘着剤名；ＵＶＴＡＣ粘着剤；帝国インキ製造（株）製）などがある。
【００５１】
粘着剤層３として紫外線（ＵＶ）固定型粘着剤（ＵＶ粘着剤）又は電子線（ＥＢ）固定型粘着剤（ＥＢ粘着剤）を使用する場合には、塗布後に、ＵＶ照射手段又はＥＢ照射手段２８に導入し、溶剤揮散型粘着剤等を使用する場合には、加熱乾燥手段２８に導入して、粘着剤層３をラベル基材１上に固定させる。
【００５２】
続いて、塗布手段２７にて粘着剤層３の積層形成されたラベル基材１と、剥離シート巻出手段２９（４２は対向駆動回転するインフィードニップロール）より巻き出し送行する剥離シート４（ラベル基材１側の粘着剤層３に対して易剥離性を示すシリコーン樹脂等の離型剤を紙基材、若しくはポリエチレン、ポリプロピレン、ポリエチレンテレフタレート等の樹脂フィルム基材の片面に塗布したシート、セパレータ）とを、貼り合わせニップロール３０（対向するロール３０ａ、３０ｂ）間に導入して重ね合わせ、ラベル基材１の粘着剤層３と、剥離シート４の離型剤層側とを仮貼着する。
【００５３】
続いて、剥離シート４の仮貼着されたラベル基材１を送行しながら、ロータリー（回転
）式又はレシプロ（上下反復動作）式のラベル型抜き手段３１に導入して、不透明ラベル基材１層と粘着剤層３とを、剥離シート４を残してラベル形状（閉曲線図形状）に型抜きすることにより、連続する剥離シート４面上には、仮貼着されてラベル形状に型抜きされたリアー印字ラベルが作成される。
【００５４】
続いて、型抜きされたラベル基材１及び粘着剤層３と剥離シート４とを剥離ロール３２に導入するとともに、ラベル形状に型抜きした前記ラベルシート外周の連続する余白（抜き滓）シートを滓取りロール３３にて巻き取りながら、ラベル巻取手段３４（４３は対向駆動回転するアウトフィードニップロール）にて、連続する剥離シート４をラベルシートを剥離シート４面に仮貼着した状態で一緒に巻き取ることにより、連続する剥離シート４面上には、図３に示す積層構成のリアー印字ラベルが得られる。
【００５５】
図７は、請求項４に係るリアー印字ラベルの製造方法における工程の一例を説明する概要側面図であり、まず、透明フィルム（ポリエチレン、ポリプロピレン、ポリエチレンテレフタレート等の樹脂フィルム）による透明ラベル基材１の裏面に積層形成した粘着剤層３と該粘着剤層３に仮貼着した剥離シート４とからなる積層構成のラベル形成用タックシートＴｓを、基材巻出手段２１（４１は対向駆動回転するインフィードニップロール）から巻き出し送行しながら、印字手段２６に導入して、該ラベル形成用タックシートＴｓの透明ラベル基材１表面に、逆向き像の印字部２を印字形成する。
【００５６】
印字手段２６は、インキジェット方式、電子写真方式、熱転写方式等により印字するデジタル印字手段であり、印字手段２６に搭載する印字データ入出力制御ユニットの可変印字データ生成部にて生成された印字すべき情報（商品キャンペーン情報、販売促進情報、応募情報、抽選情報など）を、可変印字データとして出力制御部から任意に選択出力し、その可変印字データに基づいて文字、図形等の情報を、印字手段２６のガイドロールを介してラベル基材１の裏面に印字するものである。
【００５７】
続いて、逆向き像の印字部２の印字形成された前記ラベル形成用タックシートＴｓを、グラビア印刷方式による第１印刷手段２２（版胴２２ａ、圧胴２２ｂ）間に導入して、該タックシートＴｓのラベル基材１の表面に、印字部２を隠蔽するように隠蔽層１ｂを塗布して積層形成し、該タックシートＴｓのラベル基材１表面側からは隠蔽されて目視不能であって該ラベル基材１裏面側からは目視可能なリアースルーの印字部２を形成する。
【００５８】
続いて、ラベル基材１の表面に隠蔽層１ｂの積層形成されたラベル形成用タックシートＴｓを、グラビア印刷方式による第２印刷手段２４（版胴２４ａ、圧胴２４ｂ）間に導入し、該タックシートＴｓのラベル基材１表面の隠蔽層１ｂ面に正向き像のラベル印刷層５を印刷する。
【００５９】
第１、第２印刷手段２２、２４の塗布方式、印刷方式としては、オフセット印刷方式又はグラビア印刷方式の他に、活版印刷、スクリーン印刷、フレキソ印刷方式、ロール塗布方式等が採用でき、また、使用インキ、塗布液としては、水性インキ、油性インキ、また、インキ乾燥方式としては、紫外線（ＵＶ）硬化乾燥型インキ（ＵＶインキ）、電子線（ＥＢ）硬化乾燥型インキ（ＥＢインキ）、二液反応硬化型インキ、酸化乾燥型インキ、溶剤揮散型インキ等が使用できる。また、ラベル印刷層５を印刷する第１印刷手段には、１〜数ユニットの各色印刷ユニットを搭載した１乃至数色印刷が可能な印刷手段を使用することができる。なお、使用インキの具体例としては、例えば、オフセットインキ名；ＦＤＳ各色ＴＫ；東洋インキ製造（株）製、オフセットインキ名；ＵＶ１６１各色；（株）ティーアンドケイ東華製）などがある。
【００６０】
隠蔽層１ｂ、ラベル印刷層５の塗布・印刷に紫外線（ＵＶ）硬化乾燥型インキ（ＵＶイ
ンキ）、電子線（ＥＢ）硬化乾燥型インキ（ＥＢインキ）を使用する場合には、塗布、印刷後に、それぞれＵＶ照射手段又はＥＢ照射手段２３、２５に導入し、溶剤揮散型インキ等を使用する場合には、それぞれ加熱乾燥手段２３、２５に導入して、隠蔽層１ｂ、ラベル印刷層５を硬化乾燥させる。
【００６１】
続いて、ラベル印刷層５の印刷されたタックシートＴｓを巻き出し送行しながら、ロータリー（回転）式又はレシプロ（上下反復動作）式のラベル型抜き手段３１に導入して、タックシートＴｓのラベル基材１層と粘着剤層３とを、剥離シート４を残してラベル形状（閉曲線図形状）に型抜きすることにより、連続する剥離シート４面上に、仮貼着されてラベル形状に型抜きされたリアー印字ラベルを作成する。
【００６２】
続いて、型抜きされたラベル基材１及び粘着剤層３と剥離シート４とを剥離ロール３２に導入するとともに、ラベル形状に型抜きした前記ラベルシート外周の連続する余白（抜き滓）シートを滓取りロール３３にて巻き取りながら、ラベル巻取手段３４（４３は対向駆動回転するアウトフィードニップロール）にて、連続する剥離シート４をラベルシートを剥離シート４面に仮貼着した状態で一緒に巻き取ることにより、連続する剥離シート４面上には、図４に示す積層構成のリアー印字ラベルが得られる。
【図面の簡単な説明】
【００６３】
【図１】本発明の請求項１に係るリアー印字ラベルを説明する側断面図。
【図２】本発明の請求項２に係るリアー印字ラベルを説明する側断面図。
【図３】本発明の請求項３に係るリアー印字ラベルを説明する側断面図。
【図４】本発明の請求項４に係るリアー印字ラベルを説明する側断面図。
【図５】本発明の請求項１又は２に係るリアー印字ラベルの製造方法を説明する製造装置の概要側面図。
【図６】本発明の請求項３に係るリアー印字ラベルの製造方法を説明する製造装置の概要側面図。
【図７】本発明の請求項４に係るリアー印字ラベルの製造方法を説明する製造装置の概要側面図。
【図８】従来のリアー印字ラベルを説明する側断面図。
【符号の説明】
【００６４】
１…ラベル基材  １ａ…透明ラベル基材フィルム  １ｂ…隠蔽層  ２…印字部
３…接着剤層  ４…剥離シート  ５…ラベル印刷層
１１…不透明ラベル基材  １２…粘着剤層  １３…透明ラベル基材  １４…印字部
１５…粘着剤層  １６…剥離シート  １７…ラベル印刷層  ＴS …タックシート
【図１】
2005157192.tif 000003
【図２】
2005157192.tif 000004
【図３】
2005157192.tif 000005
【図４】
2005157192.tif 000006
【図５】
2005157192.tif 000007
【図６】
2005157192.tif 000008
【図７】
2005157192.tif 000009
【図８】
2005157192.tif 000010
【手続補正書】
【提出日】平成15年12月9日(2003.12.9)
【手続補正１】
【補正対象書類名】図面
【補正対象項目名】全図
【補正方法】変更
【補正の内容】
【図１】
2005157192.tif 000011
【図２】
2005157192.tif 000012
【図３】
2005157192.tif 000013
【図４】
2005157192.tif 000014
【図５】
2005157192.tif 000015
【図６】
2005157192.tif 000016
【図７】
2005157192.tif 000017
【図８】
2005157192.tif 000018